(57)【要約】【課題】紙葉類を綴じたり取り外したりする作業性の良い綴じ具を提供する。【解決手段】綴じ具１は、固定板２と、押え板３と、綴じ紐５とが一体に形成される。押え板３には、綴じ紐５を上面側へ突き出させる切欠部６が前端側に形成され、綴じ紐５の自由端５１を係止させるレール部７が切欠部６より外側の上面に形成される。切欠部６は、レール部７の対応位置から内側へ向かって斜めに延びて押え板３の前端に開放された案内部６１と、レール部７の対応位置に設けられてレール部７に係止される綴じ紐５の根元５２側が配置されるように案内部６１に連通され且つ案内部６１よりも幅広に形成された配置部６２とを備える。【選択図】図１
0003165752.tif 000002
【実用新案登録請求の範囲】
【請求項１】
ファイル表紙に固定される固定板と、
前記固定板とヒンジ部を介して一体に形成され、前記ヒンジ部で折り返されることにより前記固定板と対向されて前記固定板との間に配置された紙葉類を挟持するための押え板と、
一端に自由端を有し、他端が前記固定板と一体に形成され、前記紙葉類に穿設された綴じ穴に挿通するための一対の細長い可撓性を有する帯状の綴じ紐と、
前記綴じ紐を前記押え板の上面側へ突き出させるため、前記綴じ紐の根元側と略対応する前記押え板の前端側の位置に切欠き形成された切欠部と、
前記紙葉類の綴じ穴から挿し出した前記綴じ紐の自由端を外側に折り曲げて前記押え板に着脱自在に係止させるため、前記押え板の上面における前記切欠部より外側に一体に形成されて前記綴じ紐の幅側両端部を各々係止する対向した凹壁で構成されたレール部とを有し、
前記切欠部は、前記レール部の対応位置から内側へ向かって斜めに延びて前記押え板の前端に開放された案内部と、前記レール部の対応位置に設けられて前記レール部に係止される前記綴じ紐の根元側が配置されるように前記案内部に連通され且つ前記案内部よりも幅広に形成された配置部とを備える綴じ具。
【請求項２】
請求項１に記載の綴じ具において、
前記綴じ紐における前記押え板の上面との対向面に前記綴じ紐の幅方向に線状に延びる凹凸部が形成され、
前記押え板における前記レール部を設けた領域に前記綴じ紐の前記凹凸部と引っ掛かるように前記レール部の幅方向に線状に延びる凹凸部が形成されている綴じ具。
【請求項３】
請求項１又は２に記載の綴じ具において、
前記綴じ紐は、自由端側が先細状に形成されている綴じ具。
【請求項４】
請求項１〜３のいずれか１項に記載の綴じ具において、
前記綴じ紐は、前記レール部に係止させた状態では自由端側が上方へ反り上がるように形成されている綴じ具。
【請求項５】
請求項１〜４のいずれか１項に記載の綴じ具において、
前記レール部は、途中に凹壁が形成されない欠落部を有している綴じ具。
【考案の詳細な説明】
【技術分野】
【０００１】
本考案は、綴じ穴が穿設された紙葉類を綴じるための綴じ具に関する。
【背景技術】
【０００２】
従来の綴じ具として、ファイル表紙に固定される固定板１０２と、紙葉類を挟持するための押え板１０３と、紙葉類に穿設された綴じ穴に挿通する一対の帯状の綴じ紐１０５とを、一体形成したものがある（特許文献１、特許文献２）。そして、特許文献１に記載の綴じ具は、図６（ａ）（ｂ）に示すように、綴じ紐１０５を押え板１０３の上面側へ突き出させるために押え板１０３の前端側に真っ直ぐ切り込んで形成された切込６０６と、切込６０６の開口縁に突設された一対の逆止弾性片６０７と、押え板１０３の上面に一体に形成されて綴じ紐１０５を挟止する断面U字状部１０７とが設けられている。一方、特許文献２に記載の綴じ具は、図７に示すように、綴じ紐１０５を押え板１０３の上面側へ突き出させるために押え板１０３の前端側に矩形状に大きく真っ直ぐ切り欠いて形成された切欠部７０６が設けられている。
【先行技術文献】
【特許文献】
【０００３】
【特許文献１】実開昭５０−５４２１４号公報
【特許文献２】特開平９−１７５０７５号公報
【考案の概要】
【考案が解決しようとする課題】
【０００４】
図６に示す綴じ具では、切込６０６の開口縁に設けた一対の逆止弾性片６０７によって綴じ紐１０５を切込６０６へ導入し難く、また、切込６０６から綴じ紐１０５を脱出させる際も逆止弾性片６０７に引っ掛かって綴じ紐１０５を切込から脱出させ難い。そのため、この綴じ具は、書類等の紙葉類を綴じたり取り外す際の作業性が良くなかった。
【０００５】
また、図７に示す綴じ具では、切欠部７０６が押え板１０３の幅方向に真っ直ぐに矩形状に大きく形成されているため、綴じ紐１０５を切欠部７０６に導入し易い反面、綴じ紐１０５を切欠部７０６内に導入しても押え板１０３を指で押えていなければ綴じ紐１０５が切欠部７０６から脱出してしまうおそれがあった。そのため、この綴じ具も紙葉類を綴じる際の作業性が必ずしも良いものではなかった。
【０００６】
本考案は、上記事情に鑑みてなされたものであり、紙葉類を綴じたり取り外したりする作業性の良い綴じ具を提供することを課題とする。
【課題を解決するための手段】
【０００７】
本考案に係る綴じ具は、
ファイル表紙に固定される固定板と、
前記固定板とヒンジ部を介して一体に形成され、前記ヒンジ部で折り返されることにより前記固定板と対向されて前記固定板との間に配置された紙葉類を挟持するための押え板と、
一端に自由端を有し、他端が前記固定板と一体に形成され、前記紙葉類に穿設された綴じ穴に挿通するための一対の細長い可撓性を有する帯状の綴じ紐と、
前記綴じ紐を前記押え板の上面側へ突き出させるため、前記綴じ紐の根元側と略対応する前記押え板の前端側の位置に切欠き形成された切欠部と、
前記紙葉類の綴じ穴から挿し出した前記綴じ紐の自由端を外側に折り曲げて前記押え板に着脱自在に係止させるため、前記押え板の上面における前記切欠部より外側に一体に形成されて前記綴じ紐の幅側両端部を各々係止する対向した凹壁で構成されたレール部とを有し、
前記切欠部は、前記レール部の対応位置から内側へ向かって斜めに延びて前記押え板の前端に開放された案内部と、前記レール部の対応位置に設けられて前記レール部に係止される前記綴じ紐の根元側が配置されるように前記案内部に連通され且つ前記案内部よりも幅広に形成された配置部とを備える。
【０００８】
上記構成より、前記切欠部の案内部が前記レール部の対応位置から内側へ向かって斜めに延びて前記押え板の前端に開放されているので、紙葉類を収容させた状態で綴じ紐を内側へ斜めに傾けた状態で、この綴じ紐を案内部へ導入し易い。そして、この綴じ紐を案内部奥の配置部まで導入すると、配置部が案内部よりも幅広に形成されているので、綴じ紐が配置部に係止されて配置部からの脱出が阻止される。一方、配置部内の綴じ紐を案内部側へ誘導することで、綴じ紐を切欠部から容易に脱出させることができる。従って、綴じ紐の切欠部への導入及び脱出の作業性が良い。
【０００９】
また、前記押え板の上面に一体に形成されたレール部は、前記綴じ紐の幅側両端部を各々係止する凹壁で構成されているので、切欠部の配置部に導入された綴じ紐を前記レール部に押え付けると綴じ紐がレール部に簡単に嵌め込まれて係止される。また、レール部に係止された綴じ紐を持ち上げると、レール部から綴じ紐を簡単に係合解除させることができる。従って、綴じ紐のレール部への係合及び係合解除の作業性が良い。
【００１０】
前記綴じ紐における前記押え板の上面との対向面に前記綴じ紐の幅方向に線状に延びる凹凸部が形成され、
前記押え板における前記レール部を設けた領域に前記綴じ紐の前記凹凸部と引っ掛かるように前記レール部の幅方向に線状に延びる凹凸部が形成されているのが望ましい。
この場合、綴じ紐とレール部との係止を強固にすることができ、綴じ紐がレール部から抜け出すような不具合を防止することができる。
【００１１】
前記綴じ紐は、自由端側が先細状に形成されているのが望ましく、また、前記綴じ紐は、前記レール部に係止させた状態では自由端側が上方へ反り上がるように形成されているのが望ましい。
いずれの構成でも、レール部に係合された綴じ紐の先端部を指で容易に引っ掛けることができ、綴じ紐の先端部を指で引っ掛けて持ち上げることで綴じ紐をレール部から一層容易に係合解除させることができる。
【００１２】
前記レール部は、途中に凹壁が形成されない欠落部を有しているのが望ましい。
この場合、欠落部より指を入れてレール部に係合された綴じ紐を摘んで持ち上げることができ、綴じ紐をレール部から容易に係合解除させることができる。
【考案の効果】
【００１３】
以上のように、本考案に係る綴じ具によれば、紙葉類を綴じたり取り外したりする作業性の良いものが得られる。
【図面の簡単な説明】
【００１４】
【図１】実施形態による綴じ具を展開して裏側から見た状態の平面図である。
【図２】実施形態による綴じ具の使用状態であって紙葉類を綴じ紐に差し込んだ状態の斜視図である。
【図３】実施形態による綴じ具の使用状態であって押え板を倒して紙葉類を綴じ込んだ状態の斜視図である。
【図４】押え板の上面に突設したレール部に綴じ紐を係止させた状態を示す要部側面図である。
【図５】切欠部における配置部の他の形状を示すための平面図である。
【図６】従来の綴じ具を示す斜視図である。
【図７】従来の他の綴じ具を示す斜視図である。
【考案を実施するための形態】
【００１５】
以下に、本考案の実施形態について添付図面を参照しながら説明する。
本考案の実施形態による綴じ具１は、ファイル表紙１０に取り付けられて書類等の紙葉類１２を綴じ込むファイルとして使用される。なお、ファイル表紙１０の背表紙には、数本の折曲線１１（図２等参照）が形成され、綴じ込む紙葉類１２の厚みに対応でき、かつ表紙を開閉し易くされている。
【００１６】
図１〜図３に示すように、実施形態による綴じ具１は、ポリプロピレン等の可撓性及び弾性を有する合成樹脂で一体に形成されたものであり、ファイル表紙１０に固定される固定板２と、固定板２との間に配置された紙葉類１２を挟持するための押え板３と、紙葉類１２に穿設された２穴の綴じ穴１３に挿通するための一対の細長い可撓性を有する帯状の綴じ紐５とを有する。
【００１７】
固定板２と押え板３とはヒンジ部４を介して一体に形成され、押え板３は、固定板２と対向するようにヒンジ部４で折り返し可能となっている。ヒンジ部４には、所定幅を有し、長手方向に数本の折曲線４１が形成され、綴じ込む紙葉類１２の厚みに対応でき、かつ折り曲げ易く形成されている。
【００１８】
固定板２は、長方形状の主体部２１と、主体部２１の長手方向の両端からそれぞれ延長するように設けた突片部２２とを有し、主体部２１の前端付近と両突片部２２とがファイル表紙１０に溶着２３して取り付けられている。なお、固定板２は、溶着２３以外の手段として、例えば、接着、リベット等の固定具でファイル表紙１０に取り付けるようにしてもよい。
【００１９】
綴じ紐５は、固定板２における主体部２１の長手方向の両端にそれぞれ形成され、一端が自由端５１となり、他端が固定板２と一体に形成されている。この綴じ紐５は、自由端５１側が先細状に形成されている。また、綴じ紐５は、押え板３の上面との対向面に前記綴じ紐５の幅方向に線状に延びる凹凸部５３が形成されている。さらに、綴じ紐５の自由端５１は、押え板３のレール部７に係止された状態では上方へ反り上がるように形成されているが（図４（ａ）（ｂ）を参照）、反らさずに真っ直ぐ形成されてもよい。
【００２０】
押え板３には、この押え板３がヒンジ部４で折り返されて固定板２と対向された状態で綴じ紐５を押え板３の上面側へ突き出させるための切欠部６が２箇所に形成されるとともに、切欠部６から押え板３の上面側へ突き出させた綴じ紐５の自由端５１を着脱自在に係止させるためのレール部７が押え板３の上面における各切欠部６の外側にそれぞれ一体に形成されている。
【００２１】
各切欠部６は、綴じ紐５の根元５２側と略対応する押え板３の前端側の位置に形成されている。そして、各切欠部６は、レール部７の対応位置から内側へ向かって斜めに延びて押え板３の前端に開放された案内部６１と、レール部７の対応位置に設けられてレール部７に係止される綴じ紐５の根元５２側が配置されるように案内部６１に連通され且つ案内部６１よりも幅広に形成された矩形状の配置部６２とより構成されている。
【００２２】
各レール部７は、図４をも参照して、綴じ紐５の幅側両端部を各々係止する対向した凹壁７１で構成されており、切欠部６の配置部６２から押え板３の長手方向端部に至って部分的に押え板３の上面に突設されている。すなわち、各レール部７は、途中に凹壁７１が形成されない欠落部７２を有している。従って、この欠落部７２より指を入れてレール部７に係合された綴じ紐５を摘んで持ち上げることができ、綴じ紐５をレール部７から容易に係合解除させることができる。なお、レール部７は、上記欠落部７２が無く、切欠部６の配置部６２から押え板３の長手方向端部に至って連続して形成されてあってもよい。また、押え板３におけるレール部７を設けた領域には、綴じ紐５の凹凸部５３と引っ掛かるようにレール部７の幅方向に線状に延びる凹凸部７３が形成されている。
【００２３】
以上の構成を備えた綴じ具１によれば、切欠部６の案内部６１がレール部７の対応位置から内側へ向かって斜めに延びて押え板３の前端に開放されているので、紙葉類１２を収容させた状態で綴じ紐５を内側へ斜めに傾けた状態で、この綴じ紐５を案内部６１へ導入し易い。そして、この綴じ紐５を案内部６１奥の配置部６２まで導入すると、配置部６２が案内部６１よりも幅広に形成されているので、綴じ紐５が配置部６２に係止されて配置部６２からの脱出が阻止される。一方、配置部６２内の綴じ紐５を案内部６１側へ誘導することで、綴じ紐５を切欠部６から容易に脱出させることができる。従って、綴じ紐５の切欠部６への導入及び脱出の作業性が良い。
【００２４】
また、押え板３の上面に一体に形成されたレール部７は、綴じ紐５の幅側両端部を各々係止する凹壁７１で構成されているので、切欠部６の配置部６２に導入された綴じ紐５をレール部７に押え付けると綴じ紐５がレール部７に簡単に嵌め込まれて係止される。また、レール部７に係止された綴じ紐５を持ち上げると、レール部７から綴じ紐５を簡単に係合解除させることができる。従って、綴じ紐５のレール部７への係合及び係合解除の作業性が良い。
【００２５】
また、綴じ紐５と押え板３のレール部７を設けた領域には、それぞれ互いに引っ掛かり合う凹凸部５３７３が形成されているので、綴じ紐５とレール部７との係止を強固にすることができ、綴じ紐５がレール部７から抜け出すような不具合を防止することができる。
また、綴じ紐５は、自由端５１側が先細状に形成されているので、レール部７に係合された綴じ紐５の先端部を指で容易に引っ掛けることができ、綴じ紐５の先端部を指で引っ掛けて持ち上げることで綴じ紐５をレール部７から一層容易に係合解除させることができる。
さらに、綴じ紐５は、自由端５１側がレール部７に係止された状態では上方へ反り上がるように形成されているので、レール部７に係合された綴じ紐５の先端部を指で容易に引っ掛けることができ、綴じ紐５の先端部を指で引っ掛けて持ち上げることで綴じ紐５をレール部７から一層容易に係合解除させることができる。
【００２６】
以上より、本綴じ具１によれば、紙葉類１２を綴じたり取り外したりする作業性が非常に良い。
【００２７】
なお、本考案は、上記実施形態のみに限定されず、例えば、図５に示す綴じ具１ａのように、切欠部６における配置部６２’の形状は、円形に形成されてもよいし、他の種々の形状に形成されてもよい。
【符号の説明】
【００２８】
１  綴じ具
２  固定板
３  押え板
４  ヒンジ部
５  綴じ紐
６  切欠部
７  レール部
１０  ファイル表紙
１２  紙葉類
１３  綴じ穴
５１  自由端
５２  根元
６１  案内部
６２  配置部
７１  凹壁
【図１】
0003165752.tif 000003
【図２】
0003165752.tif 000004
【図３】
0003165752.tif 000005
【図４】
0003165752.tif 000006
【図５】
0003165752.tif 000007
【図６】
0003165752.tif 000008
【図７】
0003165752.tif 000009